(57)【要約】      （修正有）【課題】衣類整形装置において、衣類の内部にエアを吹き込むことにより、衣類に投入コンベア等の吸引力が作用して、前身頃等に皺が発生するのを防止する。【解決手段】整形体２０に設けた伸縮腕２３、２４の動作に伴って袖を吸引し、吸引ダクト２１、２２により左右外方へ展開させ、整形済みの衣類を工程に投入する衣類整形装置において、吸引ダクト２１、２２として吸引時に内部に袖を配置する筒状構造のダクトを使用し、吸引ダクト２１、２２は袖に対して吸引気流を作用させる吸引状態と、衣類を投入コンベア１１に預け渡すために袖から脱する非吸引状態を取り、投入コンベア１１は、整形体から渡される衣類を受け取り保持するために吸引装置を具備し、整形体２０の側部にエアノズルを設けるとともに、吸引作用の停止と相前後して、衣類の内部にエアを吹込むようにすることで、衣類に吸引力が作用して前身頃に皺ができるのを防ぐ衣類整形装置が提供できる。【選択図】図１
2014155601.tif 000002
【特許請求の範囲】
【請求項１】
整形体に衣類を着せ掛け、整形体に設けた伸縮腕の動作に伴って袖を吸引し、吸引ダクトにより左右外方へ展開させ、整形済みの衣類を工程に投入する衣類整形装置において、
吸引ダクトとして、吸引時に内部に袖を配置する筒状構造のダクトを使用し、
吸引ダクトは、内部に配置した袖に対して吸引気流を作用させる吸引状態と、吸引作用の停止に伴って衣類を投入コンベアに預け渡すために袖から脱する非吸引状態を取り、
投入コンベアは、整形体から渡される衣類を受け取り保持するために吸引装置を具備し、衣類に上記吸引装置により吸引力が作用して前身頃に皺ができるのを防ぐために、整形体の側部にエアノズルを設けるとともに、吸引作用の停止と相前後して、衣類の内部にエアを吹込むようにしたことを特徴とする
衣類整形装置における皺の除去方法。
【請求項２】
エアノズルは、整形体の側部の上部に配置されるのと併せて、上部より衣類の裾の方向に当る整形体の中間部にも配置されている
請求項１記載の衣類整形装置における皺の除去方法。
【請求項３】
衣類整形装置における皺の除去方法に用いるエアノズルであって、
エア源からエアの供給を受けるエアホースと、上記エアホースの一端部に接続されたエア送出部と、上記エア送出部の外側面に設けられた吹き出し口とから構成される
衣類整形装置における皺の除去方法に用いるエアノズル。
【発明の詳細な説明】
【技術分野】
【０００１】
本発明は、整形済みの衣類を工程に投入する整形装置における皺発生を防止し、又は、一時的に発生している皺を除去する方法及びエアノズルに関するものである。
【背景技術】
【０００２】
いわゆるリネンサプライ業等では、顧客先から回収した衣類を洗濯・脱水・乾燥工程を経るとともにアイロン掛け及び折り畳み、再び顧客先へ配達するというサービスが行なわれる。アイロン掛け工程に投入される衣類は整形装置により整形されていなければならないが、洗濯脱水によりクシャクシャになった衣類を完全に整形するのは、整形装置を用いても、必ずしも容易ではない。例えば、整形装置では整形体に衣類を着せ掛け、整形体に設けた伸縮腕の動作に伴って袖を吸引し、吸引ダクトにより左右外方へ展開させるとともに、衣類を投入コンベアに預け渡すが、衣類の授受に伴う間の気流の影響により、衣類の前身頃などに皺ができてしまうという問題がある。
【０００３】
この問題に対して先行技術を調査したところ、特開２０１２−１２５５３８号を見出した。同号の発明は袖の展開が確実で、皺が発生しない衣類投入機の提供を課題としたもので、衣類等を被せて整姿状態とし、前記コンベヤ機構に衣類を渡す整形体を備え、該整形体は左右方向に伸縮して、衣類の両袖を左右方向に展開する左右一対のアームと、該アームで展開された両袖を、垂れ下りを抑制するように空気を吹き付ける左右一対のエアブローノズルを備えている。そして、段落００２７には上記エアブローノズルにより両袖が展開された後で、袖吸引ボックスを作動させ、袖をバキューム力で引っ張り、皺を伸ばし完全に展開させるというように記載されている。しかし、袖が完全に展開された段階では未だ整形体に被せられており、その後、段落００２４の（５）、（６）の手順で動作する。整形体が下降するのは手順（６）であるから、袖が完全に展開されているにも拘らず投入コンベア等による吸引力が作用しており、これでは皺を除去することができない。
【０００４】
そもそも、整形体を用いて衣類を整形し工程に投入する装置については、本発明者の所属する会社も初期の段階から継続して開発に力を傾注しており、それは整形体に衣類を着せ掛け、整形体に設けた伸縮腕の動作に伴って袖を吸引し、吸引ダクトにより左右外方へ展開させ、整形済みの衣類を投入コンベアに投入するもので、現在の基本的な構成となっている。この点に関し、図１５を参照して説明すると、整形装置ａでは、袖Ｓを吸引ダクトｂ、ｂのバキューム力で引っ張り、ほぼ完全に整形することができ、この点先行技術の袖吸引ボックスも同様である。
【０００５】
しかし、人体に似せて作られている整形体ｃには厚みがあり、整形体上で整形された衣類Ｗに投入コンベアｄの第１コンベアｅの吸引力が働いているため、後身頃の方により強い吸引力が作用し、前身頃の方にはより弱い吸引力が作用することになる。その結果、衣類Ｗの後身頃と前身頃に作用する上記吸引力の不均衡により、特に、前身頃に皺Ｐが発生し易いということが突き止められた。袖Ｓを含む衣類全体を整形体上で整形することができても、整形体ｃの下降による衣類Ｗからの抜け出し等その後の投入コンベアｄへの衣類Ｗの授受が適切に行われなければ、衣類Ｗを整形状態で工程に投入することができないのである。なお、投入コンベアｄは第１コンベアｅと第２コンベアｆとから成り、第１コンベアｅは吸引ボックスｇの前面を摺動し、吸引ボックスｇは吸引装置ｈとダクトｉで接続されている。故に、衣類Ｗは吸引装置ｈの吸引力により吸引保持されながら、投入コンベアｄに預け渡されるように構成されている。
【０００６】
【特許文献１】特開２０１２−１２５５３８号
【発明の開示】
【発明が解決しようとする課題】
【０００７】
本発明は前記の実情に鑑みてなされたもので、その課題は、衣類整形装置において、衣類の内部にエアを吹き込むことにより、衣類に投入コンベア等の吸引力が作用して、前身頃等に皺が発生するのを防止し、かつ、一時的に発生している皺を除去できるように構成することである。また、本発明の他の課題は、整形体から投入コンベアへの衣類の授受に際して、衣類の内部にエアを吹込み、皺を除去し、完全に整形された衣類を工程に投入することができる皺の除去方法及びエアノズルを提供することである。
【課題を解決するための手段】
【０００８】
前記の課題を解決するため、本発明は、整形体に衣類を着せ掛け、整形体に設けた伸縮腕の動作に伴って袖を吸引し、吸引ダクトにより左右外方へ展開させ、整形済みの衣類を工程に投入する衣類整形装置において、吸引ダクトとして、吸引時に内部に袖を配置する筒状構造のダクトを使用し、吸引ダクトは、内部に配置した袖に対して吸引気流を作用させる吸引状態と、吸引作用の停止に伴って衣類を投入コンベアに預け渡すために袖から脱する非吸引状態を取り、投入コンベアは、整形体から渡される衣類を受け取り保持するために吸引装置を具備し、衣類に上記吸引装置により吸引力が作用して前身頃に皺ができるのを防ぐために、整形体の側部にエアノズルを設けるとともに、吸引作用の停止と相前後して、衣類の内部にエアを吹込むようにするという手段を講じたものである。
【０００９】
本発明の方法は、整形体に衣類を着せ掛け、整形体に設けた伸縮腕の動作に伴って袖を吸引し、吸引ダクトにより袖を左右外方へ展開させ、そのようにして整形した衣類を工程に投入する衣類整形装置に適用するものである。従って、この衣類整形装置は衣類を着せ掛ける整形体及び整形体に設けた伸縮腕と、袖を吸引して左右外方へ展開させる吸引ダクトを有しており、整形済みの衣類を投入コンベアに預け渡して工程に投入するという基本的構成を有している。
【００１０】
上記基本的構成を有する衣類整形装置において、本発明の方法では、衣類に投入コンベアの吸引装置の吸引力が作用したときに、前身頃に皺ができるのを防ぐために、整形体の側部にエアノズルを設けるとともに、吸引作用の停止と相前後して、衣類の内部にエアを吹込むようにしたことを特徴とする。
【００１１】
本発明の対象とする衣類整形装置では、衣類を整形体に着せ掛けてほぼ全体を整形し、吸引ダクトの内部に配置された袖に対して吸引気流を作用させることで袖をばたつかせ、袖の乱れを無くし筒状に整形するという構成を取る。
【００１２】
このとき、衣類の背面は、整形体に着せ掛けた整形体に付いていて安定しており、一方それ以外の前身頃及び袖は安定した整形状態にはない。そこで、袖に作用する吸引気流により衣類の前身頃が引っ張られ、それが皺の原因になっているのであろうとの推測がなされた。しかしながら、仔細に実験を繰り返すと、吸引ダクトによる袖の整形はほぼ完全であるが、衣類と投入コンベアに預け渡す際に袖の付け根付近に皺を生じていることが観察された。
【００１３】
つまり、整形体上で成形された衣類に投入コンベアの吸引力が働くときには、後身頃の方により強い吸引力が作用し、前身頃の方にはより弱い吸引力が作用することに原因があるものと考えられた。この考察により、袖の吸引整形が終わるのと相前後して、衣類の内部にエアを吹込むことで、皺ができるのを防ぐことができるとの着想が得られた。事実、袖の付け根からエアを吹込むことで、衣類の前身頃に皺ができるのが防がれるようになった。
【００１４】
また、本発明の方法については、吸引ダクトとして、吸引時に内部に袖を配置する筒状構造のダクトを使用し、吸引ダクトは、内部に配置した袖に対して吸引気流を作用させる吸引状態と、吸引作用の停止に伴って衣類を投入コンベアに預け渡すために袖から脱する非吸引状態を取ることも必要である。
【００１５】
さらに、本発明の方法では、投入コンベアは、整形体から渡される衣類を受け取り保持するために吸引装置を具備し、衣類に上記吸引装置の吸引力が作用したときに、前身頃に皺ができるのを防ぐために、整形体の側部にエア吹出し口を設けるとともに、吸引作用の停止と相前後して、衣類の内部にエアを吹込むことが必要である。
【００１６】
本発明の衣類整形装置における皺の除去方法に用いるエアノズルとしては、エア源からエアの供給を受けるエアホースと、上記エアホースの一端部に接続されたエア送出部と、上記エア送出部の外側面に設けられた吹き出し口によって構成することができる。また、本発明において、エアノズルは、整形体の側部の上部に配置されるのと併せて、上部より衣類の裾の方向に当る整形体の中間部にも設けられる。
【発明の効果】
【００１７】
本発明は以上のように構成されており、衣類整形装置において、衣類の内部にエアを吹き込むことにより、衣類に投入コンベア等の吸引力が作用し、前身頃等に皺が発生するのを防止し、かつ、一時的に発生している皺を除去することができるという効果を奏する。また、本発明によれば、整形体から投入コンベアへの衣類の授受に際し、衣類の内部にエアを吹込むことで前身頃等の皺を除去し、完全に整形された衣類として工程に投入する方法を提供することができる。
【発明を実施するための最良の形態】
【００１８】
以下、図示の実施形態を参照して本発明をより詳細に説明するために、本発明に係る皺の除去方法を適用する衣類整形装置の一例について、まず、最初に説明する。１０は衣類Ｗを工程に投入するために用いられる衣類投入機であり、その正面の投入部に本発明に係る衣類整形装置が設けられている。図中１１は衣類Ｗを搬送する投入コンベアであって、衣類投入機１０の上部に配置され、側面から見てほぼ逆Ｌ字型に設けられた、第１、第２のコンベア１２、１３から成っている（図２参照）。
【００１９】
第１コンベア１２は、整形された衣類Ｗを搬送できるだけの全幅を備えており、第２コンベア１３の下部に位置している。これに対し、上部に位置する第２コンベア１３は、衣類Ｗのほぼ中央部分に相当するだけの幅を備えており、その下面は第１コンベア１２の上面と接触し、かつ、正面側の端部１３ａが第１コンベア１２に対して、図示しない機構により開閉して衣類Ｗを受け入れるようになっている。１４は吸引ボックスであり、第１コンベア１２がその表面（正面）を摺動し得るようにその下側（裏側）に位置し、搬送中の衣類Ｗを吸引保持するために、多数の吸引孔が第１コンベア１２の摺動面側に形成されている。
【００２０】
１５は吸引作用を得るための吸引装置であり、その吸引側には、上記吸引ボックス１４に通じるダクト１６が接続されている。吸引装置１５には、左右のダクト１７、１８も接続されており、左右のダクト１７、１８は整形体２０の上方左右に配置される左右の袖吸引整形部の吸引ダクト２１、２２に通じている。上記左右のダクト１７、１８は、吸引ダクト２１、２２の前後方向への移動を妨げないように、可動的に設けられている。なお、１９は搬出コンベアであり、第１コンベア１２の排出側に配置されている。図２における整形体２０は、作業者が衣類Ｗを着せ掛ける作業位置にあり、この位置では直立姿勢を取り、その後、衣類Ｗを投入コンベア１１に投入するときにはその正面近くの投入位置まで上昇しかつ傾斜姿勢を取る（図４参照）。
【００２１】
整形体２０は、本発明開発の段階では、前述したように伸縮腕、胴幅板、襟部材等から成り、胴幅板と襟部材はサイズ調整要素を備えることが普通になっている。従って、それらの要素は本発明にも同様に適用されるが、しかし、本発明の説明においては、特に、袖吸引整形装置に直接必要な要素として、整形体２０に着せた衣類Ｗの袖Ｓに通す、出没可能な左右の伸縮腕２３、２４を示すに止める。それら左右の伸縮腕２３、２４は、整形体２０の内部に設けた出没機構２５、２６により袖を延ばす方向へ進出し、袖支え部材として機能し、袖整形後、整形体２０の内部へ没入するように設けられている（図３参照）。なお、２７は襟部材であるが、サイズ調整等の詳細な説明は省略する。
【００２２】
整形体２０は衣類Ｗを着せ掛けて整形し、その背後に配置された投入コンベア１１に預け渡すために、投入コンベア１１の正面に配置されているとともに、支持柱体２８によって昇降可能、かつ、傾斜可能に、基台２９に設けられている。支持柱体２８は、その内部に装備した装置によって昇降可能とされ、かつ、基台２９との間に設けた装置によって傾斜可能とされ、これらの昇降動作と傾斜動作により投入コンベア１１の前端の預け渡し位置へ向けて整形体２０を移動させるように構成されている（図８、図９等参照）。また、アーム状の伸縮腕２３、２４には、アームガイド３１、３２が整形体２０の腕付け根付近に相当する位置に設けられている。なお、実施形態のアームガイド３１、３２は、上記左右のアーム状の伸縮腕２３、２４の内外両側に接触可能に配置された小ロール群３１ａ、３１ｂ、３２ａ、３２ｂによって構成されている。
【００２３】
前記の袖吸引整形部２１、２２は、整形体２０に対して、その左右に配置されている。なお、図４に示したように整形体２０の左右に配置されるのは、袖吸引整形部の吸引ダクト２１、２２が上昇している状態である。左右の吸引ダクト２１、２２は対称的に形成されており、支持体３０Ｌ、３０Ｒに回転可能に軸支された吸引部ケース３３、３４を有する。吸引部ケース３３、３４は対称構造を有するので一方について説明する。内方の側に袖Ｓを吸引する縦長の吸引口３５が開口しており（図４、図５）、他方の側にて吸引装置１５に前記のダクト１７、１８を介して接続される接続口３６が下部に設けられている。上記の吸引部ケース３３、３４は、全体が気密的に形成され、また、支持体３０Ｌ、３０Ｒは投入機本体に設けられている（図１等参照）。
【００２４】
吸引部ケース３３、３４は、衣類Ｗの袖Ｓを内部に吸引して整形するために、縦長の吸引口３５の側は想定される最大の大きさ及び形状の袖を吸引し得るだけの大きさ及び形状の扁平な吸引部分を有している。なお、吸引口３５は、前述の如く衣類Ｗの上下方向に縦長の形態になっている。上記袖吸引整形部の吸引ダクト２１、２２は、内部に吸引されている袖Ｓをはためかせるように振動させるために、外部から内部への気流の移動を可能にする小開口３７、３８が側板部に形成されている（図６参照）。
【００２５】
上記吸引部ケース３３、３４における一方の端部の吸引気流が流入する吸引口３５に、当該吸引口３５の開口面積を可変とする可動蓋３９が設けられている。図示の可動蓋３９は、投入機本体の正面側（作業者側）に位置し、吸引部ケース３３、３４にヒンジ３９ａにより結合され、先端部は開口を狭めるように傾斜成形されている。４０は整形ブラシであり、可動蓋３９の上記先端部に全幅に渡って設けられている。上記可動蓋３９は、同じく吸引部ケース３３、３４に取り付けられた開閉用駆動部４１によって駆動されており、吸引口３３、３４の開口面積を可変にしている。なお、図５Ｂは図３に対する背面図として、上下逆に図示されている。
【００２６】
本発明に係る衣類整形装置には、衣類Ｗに前述した吸引装置１５の吸引力が作用したときに、前身頃に皺ができるのを防ぐために、整形体２０の側部の上部にエアノズル４２が設けられている（図３参照）。上記のエアノズル４２は、側方へ向いたエア吹出し口４３が上下に配列された、全体として前後に平たい形態を有している。その下部にはエアホース４４が接続されており、コンプレッサー等のエア源から圧縮エアの供給を受ける。図３に示したエアノズル４２は、袖Ｓの内部にエアを吹込むために、必要最小限度に近い大きさ（上下幅）を有し、ほぼ水平に平行気流を噴射するように作用する。
【００２７】
エアノズル４２としては上記のもののほか、より広い範囲に亘るエア噴射が可能なものも本発明に適用することができる。図７はその一例を示しており、図３とは対照的に、エアを吹込む幅が最大限度に近い大きさ（上下幅）を有しており、このため袖部分のみならず衣類Ｗの胴部分にもエアを噴射する。この構成においては、エアノズル４２から噴射するエアの流速、噴射密度等を、噴射部位の必要に応じて変化させることができる。図７において、エアノズル４２に示した矢印→の長さは噴射エアの流速又は流量を、矢印→の間隔は噴射部位従って噴射密度を示しており、袖部付近のエア噴射が最も強力で、胴部中間部以下ではより低速又は低流量又は低密度でエア噴射を行える設定であることを示す。なお、図３、図７において４５はエア送出部を示しており、この外側面に噴き出し口４３が設けられている。
【００２８】
上記の構成を有する本発明の衣類整形装置における衣類の整形方法及び皺の除去方法を説明する。図８は整形体２０上において衣類Ｗが整形される過程を示している。同図Ａにおいて整形体２０は最も低位置にあって直立しており、衣類Ｗはこの位置にて作業者が着せ掛けることで整形されるが、このとき左右の袖Ｓ、Ｓは垂れ下がった状態となる。同図Ｂは左右の伸縮腕２３、２４が伸び出して袖Ｓ、Ｓを広げる状態、同図Ｃは整形体が直立している状態から、投入コンベア方向へ傾斜しつつ投入位置へ上昇している状態をそれぞれ示す。整形体２０が上昇、傾斜した図８Ｃは図９Ｂに具体的に示されている。
【００２９】
図９は、作業者が整形体２０に衣類Ｗを着せ掛け、操作パネル等によりスタートスイッチを操作することで、整形体２０が後方へ傾斜しながら上昇し、上昇した位置の左右にある袖吸引整形部において、吸引ダクト２１、２２では吸引口３５の開いている可動蓋３９から、袖Ｓ、Ｓが吸引ダクト内部に配置された状態である。次いで、可動蓋３９が閉じるとともに、吸引ダクト２１、２２による作動が開始し、投入コンベア１１の第２コンベア１３が第１コンベア１２に向かって移動し、衣類Ｗの先端の襟部から投入コンベア１１に預け渡され、衣類Ｗは吸引装置１５による吸引力の作用を受けるようになる（図１０）。これに伴って伸縮腕２３、２４も整形体内に引っ込む。
【００３０】
吸引ダクト２１、２２の吸引動作により、袖Ｓ、Ｓが左右外方に展開され、その整形が行なわれる。しかし、袖Ｓ、Ｓの整形終了後に、吸引ダクト２１、２２を袖Ｓ、Ｓから脱しさせる必要があり、このときに問題が生じる。図１０の段階において、衣類Ｗの先端部の襟側から背面の中間部辺までの間は、上記のとおり投入コンベア１１による吸引力が作用しており、吸引ダクト２１、２２は袖Ｓ、Ｓから、図１３Ａ〜Ｄに示したように左右外方へ静かに脱する。問題は、整形体上で成形された衣類Ｗに投入コンベア１１の吸引力が働くときに、後身頃Ｗ１の方により強い吸引力が作用し、前身頃Ｗ２の方にはより弱い吸引力が作用することに原因があるものと考えられる。
【００３１】
即ち、より強い吸引力が作用している後身頃Ｗ１の方に、より弱い吸引力が作用する前身頃Ｗ２の方が引っ張られる力が、常に作用している。そのようなところへ、整形体２０の厚みに起因する衣類Ｗの余分が、整形体２０が下降することにより、一気に開放されるため前身頃Ｗ２に皺を発生する。なお、衣類Ｗの余分は、図１３Ａ、Ｂ、Ｃに三角形のスペースＴの形で現れている。このような分析の結果、図１５について説明したように、衣類Ｗに作用している吸引力の不均衡は衣類Ｗの袖の付け根の部分ＳＢで顕著になることが付きとめられたものである。
【００３２】
そこで本発明の皺の除去方法では、衣類Ｗに上記吸引装置の吸引力が作用したときに、前身頃Ｗ２に皺Ｐができるのを防ぐために、整形体２０の上部に及びエアノズル４２を設けるとともに、吸引ダクト２１、２２による吸引作用の停止と相前後して、袖の付け根ＳＢの内部にエアを吹込むようにしたものである（図１１等参照）。袖の付け根ＳＢの内部にエアを吹込むことによって、袖の付け根ＳＢの部分が膨らみを保つようになり、整形体２０から吸引ダクト２１、２２が抜け出しても、衣類Ｗの前身頃Ｗ２が後身頃Ｗ１に引っ張られることはなく、皺Ｐを生じるには至らない（図１４）。
【００３３】
この後、整形体２０が下降するが、その間にもエアノズル４２からエアを吹出しているので、整形体２０に着せ掛けられていたのとほぼ同様に衣類Ｗの膨らみがある程度保たれつつ、衣類Ｗを投入コンベア１１に預け渡すことができる（図１２参照）。なお、衣類Ｗの袖Ｓ、Ｓは吸引ダクト２１、２２が開くことで衣類整形装置から離れ、その後、衣類Ｗが投入コンベア１１によって搬送されるに伴い、整形体２０から抜け出し、このようにして皺のない状態で工程への投入が行なわれる。
【００３４】
本発明の衣類整形装置における皺の除去方法は、以上のように構成され、袖Ｓ、Ｓを整形されたままの形態に保ち、かつまた、投入コンベア１１等により吸引力が衣類Ｗに作用しても、その影響が衣類Ｗの前身頃Ｗ２に及ぶことを回避することができるものである。従って、衣類Ｗを、その襟首ないし袖の辺から裾まで全体を整形されたままの形態を保ちながら、工程に投入することができる。
【図面の簡単な説明】
【００３５】
【図１】本発明における衣類整形装置の一例を示す正面説明図である。
【図２】同上の装置の側面説明図である。
【図３】同上における整形体の一例を示すものでＡは正面図、Ｂは側面図である。
【図４】同上における整形体と吸引ダクトとの位置関係を示す部分正面図である。
【図５】同じく吸引ダクトを示すもので、Ａは下面図、Ｂは裏面図である。
【図６】同じく吸引ダクトの要部を示す断面説明図である。
【図７】同上における整形体の他の例を示すものでＡは正面図、Ｂは側面図である。
【図８】本発明における衣類の整形過程ＡＢＣを示す説明図である。
【図９】本発明における衣類の整形過程における衣類預け渡しの初期を示すもので、Ａは正面図、Ｂは側面図である。
【図１０】同じく図１０に続いて袖に吸引力が作用した状態を示すもので、Ａは正面図、Ｂは側面図である。
【図１１】同じく袖の付け根部にエアを吹込む状態を示すもので、Ａは正面図、Ｂは側面図である。
【図１２】同じく衣類預け渡し完了、工程への投入を示すもので、Ａは正面図、Ｂは側面図である。
【図１３】吸引ダクトが袖から外方へ抜け出す過程ＡＢＣＤにおいて皺が発生する状況を示す平面説明図である。
【図１４】同じく袖の付け根部にエアを吹き込む状態を示すもので、Ａは正面図、Ｂは側面図である。
【図１５】従来の衣類整形装置による整形と皺発生の関係を説明したもので、Ａは正面図、Ｂは側面図である。
【符号の説明】
【００３６】
１０  衣類投入機
１１  投入コンベア
１２  第１コンベア
１３  第２コンベア
１４  吸引ボックス
１５  吸引装置
１６  ダクト
１７、１８  左右のダクト
１９  搬出コンべア
２０  整形体
２１、２２  吸引ダクト
２３、２４  伸縮腕
２５、２６  出没機構
３０Ｌ、３０Ｒ  支持体
３１、３２  アームガイド
３３、３４  吸引部ケース
３５  吸引口
３６  接続口
３７、３８  小開口
３９  可動蓋
４０  整形ブラシ
４１  開閉用駆動部
４２  エアノズル
４３  エア吹出し口
４４  エアホース
４５  エア送出部
Ｗ衣類、Ｗ１後身頃、Ｗ２前身頃
Ｓ袖、ＳＢ袖の付け根、Ｐ皺
【図１】
2014155601.tif 000003
【図２】
2014155601.tif 000004
【図３】
2014155601.tif 000005
【図４】
2014155601.tif 000006
【図５】
2014155601.tif 000007
【図６】
2014155601.tif 000008
【図７】
2014155601.tif 000009
【図８】
2014155601.tif 000010
【図９】
2014155601.tif 000011
【図１０】
2014155601.tif 000012
【図１１】
2014155601.tif 000013
【図１２】
2014155601.tif 000014
【図１３】
2014155601.tif 000015
【図１４】
2014155601.tif 000016
【図１５】
2014155601.tif 000017